(57)【要約】  本発明は廃紙を用いて製造されたピザ包装箱に関するものであり、その構成は、収集された廃紙を粉砕するとともに、人体に無害に衛生処理してパルプを作り、このパルプを圧縮させて所定の厚さを有するシート形状をなすようにし、そのシートの縁は一定の幅に上向きに折曲され、所定高さの縁を形成させ、その縁の選ばれた所には嵌合突起を形成させてなる本体と、前記本体と同じ方法でパルプを作り、このパルプを圧縮させて所定の厚さを有するシート形状をなすようにし、そのシートの縁を一定の幅に下向きに折曲し、前記本体の縁を収容する縁を形成させ、その縁の選ばれた所には、前記本体の縁に形成された嵌合突起が嵌合される嵌合孔を形成させてなる。  前記の構成を有する本発明のピザ包装箱は、廃紙を再利用して活用できるという利点と、構造が簡単で堅固であるとともに、断熱効果を有するピザ箱を提供できるという利点、および製造が簡単であり、大量生産とともに製造コストを低減できるという利点がある。
2008513308.tif 000002
【特許請求の範囲】
【請求項１】
収集された廃紙を粉砕するとともに、人体に無害に衛生処理してパルプを作り、このパルプを圧縮させて所定の厚さを有するシート形状をなすようにし、そのシートの縁は一定の幅に上向きに折曲されて所定高さの縁を形成させ、その縁の選ばれた所には嵌合突起を形成させてなる本体と;
前記本体と同じ方法でパルプを作り、このパルプを圧縮させて所定の厚さを有するシート形状をなすようにし、そのシートの縁を一定の幅に下向きに折曲して、前記本体の縁を収容する縁を形成させて、その縁の選ばれた所には、前記本体の縁に形成された嵌合突起が嵌合される嵌合孔を形成させてなる蓋を含む構成を特徴とする廃紙を用いて製造されたピザ包装箱。
【請求項２】
前記本体の縁に形成された嵌合突起は、縁の上端に形成され、蓋に形成された嵌合孔は、端部に形成されたことを特徴とする請求項１に記載のピザ包装箱。
【請求項３】
収集された廃紙を粉砕するとともに、人体に無害に衛生処理してパルプを作り、このパルプを圧縮させて所定の厚さを有するシート形状をなすようにし、そのシートの縁は、一定の幅に上向きに折曲して縁を形成させるが、その縁の上部は所定の幅を有し、一定間隔の凹凸を形成させてなる本体と;
前記本体と同じ方法でパルプを作り、このパルプを圧縮させてシート形状をなすようにし、そのシートの縁を一定の幅に下向きに折曲して、前記本体の縁を収容する縁を形成させてなる蓋を含む構成を特徴とする廃紙を用いて製造されたピザ包装箱。
【請求項４】
前記本体から蓋の開閉時、その蓋が本体から分離しないように、蓋と本体の一側が相互連結されたことを特徴とする請求項３に記載のピザ包装箱。
【請求項５】
前記本体の縁一側と蓋の縁一側には、蓋の開閉を容易にするための延長部を形成させたことを特徴とする請求項３に記載のピザ包装箱。
【請求項６】
前記本体の底面の選ばれた所には、ピザの底部を支持する支持突起が、一定間隔で形成されたことを特徴とする請求項１または３に記載のピザ包装箱。
【請求項７】
前記ピザ箱の外郭形状は、円形、四角形、六角形、八角形のうち、いずれかの形状からなることを特徴とする請求項１または３に記載のピザ包装箱。
【発明の詳細な説明】
【技術分野】
【０００１】
本発明は廃紙を用いて製造されたピザ包装箱に関するものであり、さらに詳細には、各種廃紙を収集し、再利用してピザ包装箱を製造することによって、コスト低減はもちろん、製造が容易であって、簡単で堅固な構成を提供する。
【背景技術】
【０００２】
ピザは新世代たちや子どもたちが特に好む好みの食品として、主に注文配達によって家庭や職場などで便利に提供することができるので、簡単な家族の集まりや祝う会合で外食代わりにピザを注文して、多くの人々が一緒に楽しめる食べ物として脚光を浴びている。
【０００３】
前記のようなピザは、配達時にピザの形状を維持しながら温度が維持される状態で配達するために、ピザ包装用箱が用いられており、その一例が図１に示しており、その構成は次の通りである。
【０００４】
前記ピザ箱は、垂直に立てられるように左右側板（１１、１１ａ）と、それぞれの端板（１２、１２ａ、１２ｂ、１２ｃ） および前後面板（１３、１３ａ、１３ｂ、１３ｃ）に形成され、前記前面板（１３、１３ａ）内外側に重なる前方仕上げ板（１４）が形成され、周辺部８角からなる底板（１０）と、前記底板（１０）の後端部に形成された連結板（１５）によって延長されて、各板が立てられた底板（１０）の上部を覆うことのできる挿入板（２１、２１ａ、２１ｂ）を有するカバープレート（２０）で構成されている。
【０００５】
一方、上述した従来のピザ箱にピザを入れるためにピザ箱を組み立てる時には、底板（１０）の周辺部に形成された左右側板（１１、１１ａ）、端板（１２、１２ａ、１２ｂ、１２ｃ） および前後面板（１３、１３ａ、１３ｂ、１３ｃ）を垂直に立てて、壁体形になるように折曲線（図面のうち、隠線部分）に沿って立てた後、前面板（１３、１３ａ）は、前方仕上げ板（１４）を半分に折曲させて垂直状態を維持するようにし、後側に形成された翼形の後面板（１３ｂ、１３ｃ）は、両側の結合溝（１６、１６ａ）を互いに嵌合することにより形成される。
【０００６】
このように形成されるピザ箱は、組み立てる時に後面板（１３ｂ、１３ｃ）が結合溝（１６、１６ａ）によって組み立てられ、また、後面板（１３ｂ、１３ｃ）が翼形として端板（１２ｂ、１２ｃ）に延長されることによって、先ず、後面板（１３ｂ、１３ｃ）の組立が煩わしく、また、後面板（１３ｂ、１３ｃ）の底面が単純に底板の（１０） 上に置いて支持される構造からなるので、強度が弱いという問題がある。
【０００７】
したがって、最近には前記後面板（１３ｂ、１３ｃ）の弱い部分を補強するための構造のピザ箱が図２のように提供されており、その構造は図１のピザ箱構造で、前記後面板（１３ｂ、１３ｃ）を連結板（１５）に付着せず、後面板（１３ｂ、１３ｃ）を支える形態に形成したものである。
【０００８】
前記従来のピザ箱は、段ボール紙を用いて製作された。したがって、その製造原価が高いことはもちろん、構造が複雑で製作上の困難がある。
【０００９】
また、ピザ包装箱は一度だけ使用して廃棄されるため、国家的にパルプ原料を輸入するにあたって、費用の負担が大きかった。
【発明の開示】
【発明が解決しようとする課題】
【００１０】
本発明は前述の問題点を解決するために創案されたものであって、本発明の目的は、廃紙を再利用することによって、構造が簡単で堅固であるとともに、断熱効果を有するピザ箱を提供することができ、製造が簡単であり、大量生産とともに製造コストを低減することができるピザ箱を提供することにある。
【課題を解決するための手段】
【００１１】
前記目的を達成するための本発明の廃紙を用いて製造されたピザ包装箱は;
収集された廃紙を粉砕するとともに、人体に無害に衛生的に処理してパルプを作り、このパルプを圧縮させて所定の厚さを有するシート形状をなすようにし、そのシートの縁は一定の幅に上向きに折曲されて所定高さの縁を形成させ、その縁の選ばれたヵ所には嵌合突起が形成され、底面にはピザの底部を支持する支持突起を一定間隔で形成させた本体と;
前記本体と同じ方法でパルプを作り、このパルプを圧縮させて所定の厚さを有するシート形状をなすようにし、そのシートの縁を一定の幅に下向きに折曲して、前記本体の縁を収容する縁を形成させ、その縁の選ばれた所には、前記本体の縁に形成された嵌合突起が嵌合される嵌合孔を形成させた蓋を含む構成からなる。
【００１２】
前記本体の縁に形成された嵌合突起は、前記本体の縁の上端に形成され、蓋に形成された嵌合孔は蓋の端部に形成される。
【００１３】
また、本発明の包装箱の他の実施例の構成を説明すると、本発明の廃紙を用いて製造されたピザ包装箱は;
収集された廃紙を粉砕するとともに、人体に無害に衛生処理してパルプを作り、このパルプを圧縮させて所定の厚さを有するシート形状をなすようにし、そのシートの縁は、一定の幅に上向きに折曲して縁を形成させるが、その折曲部分の上部は、所定の幅を有して一定間隔の凹凸を形成させてなる本体と;
所定の厚さを有するシート形状をなすようにし、そのシートの縁を一定の幅に下向きに折曲して、前記本体の縁を収容する縁を形成させてなる蓋を含む構成からなる。
【００１４】
そして、前記本体から蓋の開閉時、その蓋が本体から分離しないように、蓋と本体の一側が互いに連結される。前記本体の縁一側と蓋の縁一側には、蓋の開閉を容易にするための延長部が形成されている。
【００１５】
前記本体の底面に選ばれた所には、ピザの底部を支持する多数の支持突起が一定間隔で形成される。前記ピザ箱の外郭形状は、円形、四角形、六角形、八角形のうち、いずれかの形状からなる。
【００１６】
前記の発明の目的と効果を次の図面を参照して詳細な実施例によってより明確に説明する。
【発明を実施するための最良の形態】
【００１７】
前記のような方法で製造される本発明のピザ包装箱を添付図面を参照して詳細に説明すると、次のようである。
【００１８】
本発明のピザ包装箱の製造方法を簡単に説明すると次のようである。
【００１９】
先ず、収集された廃紙に含まれている異物を廃紙から分離した後、その異物が分離された廃紙を人体に無害な薬品を処理して粉砕し、その粉砕された廃紙を水が満たされた攪拌機に投入して撹拌して希釈させた後、前記希釈された廃紙を成形機に投入し、容器形状に成形して、その次に、３回にわたってホットプレスした後、そのプレスされた成形品をオゾン施設を用いて殺菌し、その殺菌された成形品を乾燥する工程からなる。
【００２０】
本発明で使用されるパルプは、前述した方法で生産された廃紙を利用したパルプのみを使用可能であるが、製品の美観のために廃紙を利用したパルプと天然パルプを混合して使用することができる。
【００２１】
前記のピザ包装箱の製造方法によって製造されたピザ包装箱は、添付図面を参照して説明すると、次のようである。
【００２２】
本発明のピザ包装箱は、カテゴリが同じ二つの包装箱が提供される。
【００２３】
その中に第１実施例による包装箱は、図３ないし図４に示したように説明することができる。
【００２４】
先ず、廃紙を収集して粉砕して人体に無害に処理する。
【００２５】
ここで生成されたパルプを圧縮させ、所定の厚さを有するシート形状をなすようにする。
【００２６】
図３と図４を参考すると、そのシートの縁は一定の幅に上向きに折曲して、所定高さの縁（３２）を形成させ、その縁の選ばれた所には、嵌合突起（３３）を形成させてなる本体を備える。
【００２７】
前記の通りに、本体（３０）の縁（３２）は、前記で簡単に説明した製造方法を利用した成形機内で作られ、前記縁（３２）の高さは、ピザが完全に収容されるように、高さはピザの厚さより高くしなければならない。また、嵌合壁（３２）が前記成形機内で形成される。
【００２８】
また、前記第１包装箱の第２実施例は、図５ないし図６に示した通りである。図５と図６を参考すれば、本体（３０）の底面（３１）にピザの底部を支持する支持突起（３４）が形成されている。その支持突起（３４）は縁（３２）と同じように、前記で説明したピザ包装箱の製造方法を利用した成形機内で作られる。
【００２９】
前記支持突起（３４）の高さは、ピザの底部が本体（３０）の底面（３１）に接触されない程度であれば適当である。そして、第１包装箱の第２実施例の全ての構成は、第１包装箱の第１実施例と同一である。また、前記本体（３０）の縁（３２）を収容しながら覆われる蓋（３５）は、所定の厚さを有し、前記本体（３０）と同じ方法で作られたパルプを圧縮させてシート形状をなす。
【００３０】
このシートの縁を一定の幅に下向きに折曲して、前記本体（３０）の縁（３２）を収容する縁（３６）を形成させ、その縁（３６）の選ばれた所には、前記本体（３０）の縁（３２）に形成された嵌合突起（３３）が嵌合される嵌合孔（３７）を形成させてなる。
【００３１】
前記蓋（３５）の縁（３６）に形成された嵌合孔（３７）の位置は、蓋（３５）を本体（３０）に結合したとき、嵌合突起（３３）の位置と対向する位置に形成される。さらに好ましくは、本体（３０）に形成された嵌合突起（３３）は、縁（３２）の上端に備えられ、蓋（３５）に形成された嵌合孔（３７）は、前記蓋（３５）の縁（３６）の端部に備えることが好ましい。
【００３２】
また、前記嵌合孔（３７）は、蓋（３５）の縁（３６）該当部分を嵌合突起（３３）より大きいか、同一に切り取って形成される。
【００３３】
本発明の第１、第２実施例によるピザ包装箱の中にピザを配達する場合、該当ピザを本体（３０）の内部に収容した後、蓋（３５）を閉めるようになる。
【００３４】
次に、嵌合突起（３３）が嵌合孔（３７）に嵌合されながら前記突起と嵌合孔の間に堅固な結合がなされる。したがって、移動中に蓋が自動的に開口するなどの問題点が発生しないことはもちろん、堅固な結合力を発揮するようになる。また、本体（３０）の底面（３１）に形成された嵌合突起（３４）によって、ピザの底部が本体（３０）の底面に接触されないという利点がある。
【００３５】
一方、本発明の第２包装箱の第１実施例は図７ないし図８を参照して説明する。
【００３６】
先ず、廃紙を破砕して人体に無害なものとする。ここによるパルプを圧縮させて所定の厚さを有するシート形状を形成する。図７と図８を参考すれば、そのシートの縁は、一定の幅に上向きに折曲して縁（４２）を形成させるが、その縁の上部は所定の幅（W）を有し、一定間隔の凹凸を形成させてなる本体（４０）と;前記本体（４０）と同じ方法で作られたパルプを圧縮させてシート形状をなすようにし、このシートの縁を一定の幅に下向きに折曲して、前記本体の縁を収容する縁（４６）を形成させてなる蓋（４５）を含む構成からなる。
【００３７】
また、前記本体（４０）から蓋（４５）の開閉時、その蓋（４５）が本体（４０）から分離しないように蓋（４５）と本体（４０）の一側が相互連結されている。前記本体（４０）の縁（４２）の一側と蓋（４０）の縁（４７）の一側には、蓋（４５）の開閉を容易にするための延長部（４３、４７）を形成させた。
【００３８】
前記本体（４０）の縁（４２）の上部に所定の幅（W）を有し、一定間隔の凹凸を形成させた理由は、前記本体（４０）の縁（４２）の堅固性を確保するためのものである。前記で説明したように、その本体（４０）の縁（４２）は、前記で簡単に説明した製造方法を利用した成形機内で作られ、前記縁（４２）の高さは、ピザが完全に収容することができる高さ、すなわち、ピザの厚さより高くなるようにする。
【００３９】
また、前記本体（４０）の縁（４２）を収容しながら覆われる蓋（４５）は一定の厚さを有している。
【００４０】
前記蓋のシートは、前記本体（４０）と同じ方法で形成されたシートの縁を一定の幅に下向きに折曲して、前記本体（４０）の縁（４２）を収容する縁（４６）を形成させてなるものである。
【００４１】
これも、前記本体（４０）の縁（４２）と同じように、前記で簡単に説明した製造方法を利用した成形機内で作られる。
【００４２】
また、前記本体（４０）および蓋（４５）の縁（４２、４６）の一側にそれぞれ延長部（４３、４７）を形成させた理由は、蓋（４５）を本体（４０）から容易に開閉できるようにするためものである。
【００４３】
また、前記第２包装箱の第２実施例は、図９ないし図１０に示した通りである。図９と図１０を参考すれば、本体（４０）の底面（４１）にピザの底部を支持する支持突起（４４）が形成されている。
【００４４】
その支持突起（４４）は縁（４２）と同じように、前記で簡単に説明した製造方法による成形機内で作られる。前記支持突起（４４）の高さは、ピザの底部が本体（４０）の底面（４１）に接触されない程度であれば好ましい。ここに、その以外の第２包装箱の第２実施例の全ての構成は、第２包装箱の第１実施例と同一である。
【００４５】
以上の説明のように、本発明のピザ箱は、その外郭の形状を円形、四角形、六角形、八角形または、その以上の多角形構造も製作して使用することができる。
【００４６】
前記の通りに、本発明は幾つかの実施例によって説明された。しかし、本発明は前記の実施例に限定されず、当業界の専門家であれば、本発明の範囲を逸脱することなく、種々の変更、修正が可能である。したがって、本発明の定義と詳細な説明を介して規定されず、後で説明される請求項によって規定される。
【産業上の利用可能性】
【００４７】
以上のような本発明のピザ包装箱は、廃紙を再利用して活用するという長所と、構造が簡単で堅固であり、断熱効果を有するピザ箱を提供することができる長所および製造が容易であるため、大量生産が可能であり、製造コストを低減することができる利点がある。
【図面の簡単な説明】
【００４８】
【図１】従来のピザ箱の第１実施例を示した斜視図。
【図２】従来のピザ箱の第２実施例を示した斜視図。
【図３】本発明による第１発明の第１実施例を示した分解斜視図。
【図４】本発明による第１発明の第１実施例を示した結合断面図。
【図５】本発明による第１発明の第２実施例を示した分解斜視図。
【図６】本発明による第１発明の第２実施例を示した結合断面図。
【図７】本発明による第２発明の第１実施例を示した分解斜視図。
【図８】本発明による第２発明の第１実施例を示した結合断面図。
【図９】本発明による第２発明の第２実施例を示した分解斜視図。
【図１０】本発明による第２発明の第２実施例を示した結合断面図。
【図１】
2008513308.tif 000003
【図２】
2008513308.tif 000004
【図３】
2008513308.tif 000005
【図４】
2008513308.tif 000006
【図５】
2008513308.tif 000007
【図６】
2008513308.tif 000008
【図７】
2008513308.tif 000009
【図８】
2008513308.tif 000010
【図９】
2008513308.tif 000011
【図１０】
2008513308.tif 000012
【国際調査報告】
2008513308.tif 000013
2008513308.tif 000014